(57)【特許請求の範囲】
【請求項１】
表面に、鉛筆での書き込み及び消しゴムによる消去自在の鉛筆筆記面が形成された透明な第１のシート部材と、表面に、インクペンでの書き込み及び拭具による消去自在のインクペン筆記面が形成された透明な第２のシート部材を備え、上記第１のシート部材の一側縁と、第２のシート部材の一側縁同士を連結して成ることを特徴とする書き込みシート。
【請求項２】
上記第１のシート部材の一側縁と、上記第２のシート部材の一側縁とが、圧着されて連結されていることを特徴とする請求項１に記載の書き込みシート。
【請求項３】
上記シート部材が柔軟性材料で構成されていることを特徴とする請求項１又は２に記載の書き込みシート。
【発明の詳細な説明】
【技術分野】
【０００１】
この発明は書き込みシートに係り、特に、小中学校等の教育現場において、教科書やテスト等の教材を画像投影装置を用いてスクリーン等に拡大投影して指導を行う際に使用して好適な書き込みシートに関する。
【背景技術】
【０００２】
近年、小中学校等において、情報通信技術（ＩＣＴ＝Information and Communication Technology）を活用した教育（ＩＣＴ教育）の導入が進められており、その一環として、教科書やテスト等の教材を、ＩＣＴ機器としての「画像投影装置」を用いてスクリーン等に拡大投影し、児童・生徒を指導することが行われている。
【０００３】
ＩＣＴ教育用の上記画像投影装置は、例えば、出願人が先に提案した特開２０１４−１１２７８１号公報（特許文献１）に開示されている。
上記特許文献１に示されている通り、ＩＣＴ教育用の画像投影装置は、図書教材５の対象ページをカラー画像として取り込む書画カメラ２と、書画カメラ２から送られてくるカラー画像を拡大してスクリーンＴ上に表示する画像プロジェクタ３を備えている（特許文献１の段落００１９〜段落００２４、図１〜図３参照）。
【０００４】
上記ＩＣＴ教育用の画像投影装置を用いて、教材の対象ページをスクリーンに拡大投影することにより、児童・生徒に、学習対象となっているページや問題を容易に把握させて集中させることができ、効果的な指導が可能となるのである。
【先行技術文献】
【特許文献】
【０００５】
【特許文献１】特開２０１４−１１２７８１号公報
【発明の概要】
【発明が解決しようとする課題】
【０００６】
ところで、先生が、上記画像投影装置を用いて児童・生徒の指導を行っていく過程で、投影対象の教材に書き込みを行って指導をしたい場合が有る。
例えば、投影対象の教科書やテスト中の問題に、先生が「正答」を書き込んで指導したい場合や、投影対象の地図や資料のポイントとなる箇所に先生が「赤丸等の印」を付けて指導したい場合等である。
【０００７】
しかしながら、教材自体に直接書き込みを行うことは、以下の点で好ましいものではない。
（１）書き込みを行う筆記具が鉛筆の場合、消しゴムで書き込みを消すことができるとはいえ、教材の汚れや破損を招来する可能性が高い。
（２）書き込みを行う筆記具がインクペンの場合、一度書いた書き込みを消すことが困難である。
【０００８】
この発明は、上記問題を解決するために案出されたものであり、その目的は、教材等の対象物に被せて鉛筆及びインクペンで書き込むことにより、恰も対象物に書き込んだように見せることができると共に、鉛筆及びインクペンの書き込みを自由に消すことのできる書き込みシートを実現することにある。
【課題を解決するための手段】
【０００９】
上記の目的を達成するため、請求項１に記載の書き込みシートは、
表面に、鉛筆での書き込み及び消しゴムによる消去自在の鉛筆筆記面が形成された透明な第１のシート部材と、表面に、インクペンでの書き込み及び拭具による消去自在のインクペン筆記面が形成された透明な第２のシート部材を備え、上記第１のシート部材の一側縁と、第２のシート部材の一側縁同士を連結して成ることを特徴とする。
【００１０】
請求項２に記載の書き込みシートは、請求項１に記載の書き込みシートにおいて、
上記第１のシート部材の一側縁と、上記第２のシート部材の一側縁とが、圧着されて連結されていることを特徴とする。
【００１１】
請求項３に記載の書き込みシートは、請求項１又は２に記載の書き込みシートにおいて、
上記シート部材が柔軟性材料で構成されていることを特徴とする。
【発明の効果】
【００１２】
請求項１に記載の書き込みシートは、表面に、鉛筆での書き込み及び消しゴムによる消去自在の鉛筆筆記面が形成された透明な第１のシート部材と、表面に、インクペンでの書き込み及び拭具による消去自在のインクペン筆記面が形成された透明な第２のシート部材を備え、上記第１のシート部材の一側縁と、第２のシート部材の一側縁同士を連結して構成したので、第１のシート部材と第２のシート部材との間に、教材等の対象物を挟み込んでいき、上記第１のシート部材又は第２のシート部材を対象物に被せた状態で表面の鉛筆筆記面又インクペン筆記面に鉛筆又はインクペンで書き込むことにより、恰も対象物に書き込んだように見せることができると共に、消しゴム又は拭具を用いて鉛筆及びインクペンの書き込みを自由に消すことができる。
また、請求項１に記載の書き込みシートは、第１のシート部材と第２のシート部材間に、教材等の対象物を挟む込んで使用することから、対象物がずれにくい効果も有する。
【００１３】
請求項２に記載の書き込みシートの如く、請求項１に記載の書き込みシートにおいて、第１のシート部材の一側縁と、第２のシート部材の一側縁とを「圧着」して連結した場合には、第１のシート部材と第２のシート部材間の密接度が高く、このため、両シート部材を、例えば教材の所定のページ上に被せた場合、シート部材とページとの接触面に隙間が生じにくく、画像投影装置の書画カメラで上記ページを撮影した際に明瞭に写すことができる。
【００１４】
請求項３に記載の書き込みシートの如く、シート部材を柔軟性材料で構成した場合には、シート部材を被せる対象が湾曲面であったとしても、湾曲面に沿って被せることができる。
【発明を実施するための形態】
【００１５】
以下、添付図面に基づいて、本発明に係る書き込みシート10の実施形態の一例を説明する。
図１は、本発明に係る書き込みシート10を示す斜視図であり、該書き込みシート10は、柔軟性材料より成る透明な矩形状の第１のシート部材12と、同じく柔軟性材料より成る透明な矩形状の第２のシート部材14を備えており、上記第１のシート部材12の一側縁12ａと、第２のシート部材14の一側縁14ａ同士を圧着して連結して成り、連結された一側縁12ａ,14ａを基端として両シート部材12,14を開閉することにより、第１のシート部材12と第２のシート部材14との間に教科書やテスト等の教材を挟み込むことができるようになっている。
第１のシート部材12及び第２のシート部材14の大きさは、挟み込んで使用する教材の大きさに対応させて任意に選定できるものであり、例えば、教科書を挟み込むのに適したＡ４サイズから、テスト用紙（Ａ３縮小版サイズ）を挟み込むのに適したＡ３サイズ等、種々選定できる。
【００１６】
図１に示すように、第１のシート部材12の上端縁12ｃには切欠18が、下端縁12ｄには切欠20が形成されており、また、第２のシート部材14の上端縁14ｃには切欠21が、下端縁14ｄには切欠23が形成されている。
【００１７】
上記第１のシート部材12及び第２のシート部材14は、例えばポリプロピレン樹脂等の透明樹脂材料で構成されているが、樹脂材料に限定されるものではなく、適宜な透明材料を用いることができる。
尚、本発明において、透明とは、第１のシート部材12及び第２のシート部材14を教材等の対象物の上に被せた場合に、対象物が透けて見える程度の透明度をいい、対象物が透けて見えるのであれば半透明でも良く、また、無色透明又は有色透明の何れでも良い。
【００１８】
図１及び図２に示すように、第２のシート部材14の一側縁14ａと連結される一側縁12ａを除く第１のシート部材12の表面は、鉛筆（黒鉛筆や色鉛筆）での書き込み及び消しゴムによる消去自在の鉛筆筆記面22と成されている。
すなわち、上記鉛筆筆記面22は、微細な凹凸が多数形成された粗面と成されており、鉛筆の芯材粒子が上記微細な凹凸に擦り取られて残留するため鉛筆での筆記が可能であると共に、消しゴムは微細な凹凸に残留した鉛筆の芯材粒子を吸着除去するため消しゴムでの消去が可能なのである。
また、鉛筆筆記面22には微細な凹凸が多数形成されていることから、電灯等の光を乱反射させて映り込みを軽減することができ、鉛筆の筆記内容を見やすくすることができる。
尚、インクペンでも上記鉛筆筆記面22に書き込むことはできるが、インクが微細な凹凸に入り込んで強固に付着するため、消去することは極めて困難である。
【００１９】
上記鉛筆筆記面22は、例えば、透明樹脂材料で構成された第１のシート部材12にエンボス加工を施したり、マット加工（サンドブラスト加工）を施して、表面に微細な凹凸を付けることにより形成することができる。
また、第１のシート部材12の表面に、透明ニス剤を塗布して、微細な凹凸を有する上記鉛筆筆記面22を形成しても良い。
【００２０】
図１及び図３に示すように、第１のシート部材12の一側縁12ａと連結される一側縁14ａを除く第２のシート部材14の表面は、市販のホワイドボードマーカー等の水性又は油性のインクペンでの書き込み及び布・紙等の拭具によるインクの拭き取り・消去自在のインクペン筆記面24と成されている。
【００２１】
上記インクペン筆記面24は、例えば、透明樹脂材料で構成された第２のシート部材14の表面を平滑化処理する等した平滑面と成されており、インクが上記平滑面に付着するためインクペンでの筆記が可能であると共に、布・紙等の拭具で拭くことにより付着したインクを剥ぎ取ることができ、消去が可能なのである。
尚、上記インクペン筆記面24は平滑面と成されていることから、鉛筆の芯が滑ってしまい芯材粒子を擦り付けることができず、鉛筆による書き込みは困難である。
【００２２】
本発明の書き込みシート10を構成する第１のシート部材12及び第２のシート部材14は、同一のシート素材で構成されている。
すなわち、図４に示す通り、表面側に鉛筆筆記面22が形成された第１のシート部材12の裏面側にはインクペン筆記面24が形成されており、また、表面側にインクペン筆記面24が形成された第２のシート部材14の裏面側には鉛筆筆記面22が形成されているものであり、第１のシート部材12裏面のインクペン筆記面24と第２のシート部材14の鉛筆筆記面22とを対向させた状態で、第１のシート部材12の一側縁12ａと第２のシート部材14の一側縁14ａを加熱溶融状態で圧着して連結することにより、本発明の書き込みシート10を得ることができる。
【００２３】
本発明の書き込みシート10は、図５に一例を示すように、第１のシート部材12と第２のシート部材14との間に、所定ページを開いた教科書26を挟み込んでいき、教科書26の所定ページ上に、表面に鉛筆筆記面22が形成された第１のシート部材12を被せた状態で使用するものである。
上記の通り、第１のシート部材12及び第２のシート部材14は柔軟性材料で構成されているので、両シート部材12,14を被せるページ面が湾曲面であったとしても、湾曲面に沿って被せることができる。
【００２４】
このように、本発明の書き込みシート10は、第１のシート部材12と第２のシート部材14間に対象物である教材を挟む込んで使用することから、教材がずれにくくなっている。
また、上記の通り、第１のシート部材12の一側縁12ａと第２のシート部材14の一側縁12ａとを「圧着」して連結したので、第１のシート部材12と第２のシート部材14間の密接度が高く、このため、両シート部材12,14を教材の所定のページ上に被せた場合、シート部材12,14 とページとの接触面に隙間が生じにくく、書画カメラで上記ページを撮影した際に明瞭に写すことができる。
【００２５】
上記の通り、矩形状と成された第１のシート部材12及び第２のシート部材14は、一側縁12ａ,14ａだけが連結されていて、他側縁12ｂ,14ｂ、上端縁12ｃ,14ｃ、下端縁12ｄ,14ｄの３辺は開放されていることから、様々な方向からの教材の挟み込み・取り出しが容易となっている。
また、他側縁12ｂ,14ｂ、上端縁12ｃ,14ｃ、下端縁12ｄ,14ｄの３辺は開放されていることから、特殊な形状（長帳等）の教材の挟み込み・取り出しも容易である。
【００２６】
尚、インクペン筆記面24と対比して説明する便宜上、図１、図２、図４及び図５においては、鉛筆筆記面22にドットパターンを施して表現した。
【００２７】
以下、図６〜図１２に基づいて、本発明に係る書き込みシート10の使用例について説明する。
図６〜図８は、国語のテスト用紙28を、本発明に係る書き込みシート10の両シート部材12，14間に挟み、国語のテスト用紙28上に第１のシート部材12を被せた状態を示すものである。
尚、図示は省略するが、国語のテスト用紙28は「画像投影装置」の書画カメラ及び画像プロジェクタによりスクリーンに拡大投影されて児童・生徒の指導が行われているものであり、後述する図９〜図１２の場合も同様である。
【００２８】
図６に示すように、テスト用紙28の解答欄に記載された解答（もんしろちょう）が正答の場合に、テスト用紙28に被せた第１のシート部材12表面の鉛筆筆記面22に赤鉛筆30Ｒで○を付けることにより、恰もテスト用紙28の解答に直接○を付けたように見せることができる。
また、図７に示すように、消しゴム32を用いることにより、第１のシート部材12表面の鉛筆筆記面22に書き込まれた○を消すことができる。
さらに、図８に示すように、テスト用紙28に被せた第１のシート部材12表面の鉛筆筆記面22に、黒鉛筆30Ｂで正答を書き込むことにより、恰もテスト用紙28の解答欄に正答を書き込んだように見せることができる。
【００２９】
図９及び図１０は、所定の漢字学習ページ34を開いた漢字ドリルを、本発明に係る書き込みシート10の両シート部材12，14間に挟み、漢字学習ページ34上に第１のシート部材12を被せた状態を示すものである。
図９に示すように、漢字学習ページ34上に被せた第１のシート部材12表面の鉛筆筆記面22に、黒鉛筆30Ｂで学習漢字「局」のお手本を書き込むことにより、恰も学習漢字「局」の記入欄に、上記お手本を書き込んだように見せることができる。
尚、図１０に示すように、漢字学習ページ34上に被せた第１のシート部材12の位置をずらすことにより、一々消すことなく、学習漢字「局」のお手本を何回（図９の場合は３回を例示）も書き込んで指導することができる。
【００３０】
図１１は、所定の漢字練習ページ36を開いた児童・生徒の漢字練習ノートを、本発明に係る書き込みシート10の両シート部材12，14間に挟み、漢字練習ページ36上に第２のシート部材14を被せた状態を示すものである。
図１１に示すように、漢字練習ページ36上に被せた第２のシート部材14表面のインクペン筆記面24に、インクペン38で練習漢字「特」のお手本を書き込むことにより、直接書き込むことができない児童・生徒の漢字練習ページ36に、上記お手本を書き込んだように見せて指導することができる。
尚、図示は省略するが、布・紙等の適宜な拭具で拭くことによりインクペン38で書き込んだ練習漢字「特」のお手本を消去することができる。
【００３１】
図１２は、所定の地図ページ40を開いた地図帳を、本発明に係る書き込みシート10の両シート部材12，14間に挟み、地図ページ40上に第２のシート部材14を被せた状態を示すものである。
図１２に示すように、地図ページ40上に被せた第２のシート部材14表面のインクペン筆記面24に、インクペンとしてのホワイトボードマーカー42で○印を書き込むことにより、直接書き込むことができない地図ページ40の特定箇所（図１２の場合は埼玉県）に上記○印を書き込んだように見せて指導することができる。
尚、図示は省略するが、布・紙等の適宜な拭具で拭くことによりホワイトボードマーカー42で書き込んだ○印を消去することができる。
【００３２】
上記実施形態においては、表面に鉛筆筆記面22が形成された第１のシート部材12と、表面にインクペン筆記面24が形成された第２のシート部材14とを一側縁12ａ,14ａ同士で連結して書き込みシート10を構成した場合を説明したが、本発明はこれに限定されるものではなく、要するに、教材等の対象物に被せて鉛筆及びインクペンで書き込むことができると共に、鉛筆及びインクペンの書き込みを自由に消すことのできる書き込みシートであれば良い。
【００３３】
従って、単一のシート部材の表面側に、上記鉛筆筆記面22を形成すると共に、裏面側に上記インクペン筆記面24を形成して書き込みシートを構成するようにしても良い。
或いは、シート部材の一面に、鉛筆筆記面22の形成領域と、インクペン筆記面24の形成領域を設けるようにしても良い。
もっとも、表面に鉛筆筆記面22が形成された第１のシート部材12と、表面にインクペン筆記面24が形成された第２のシート部材14とを一側縁12ａ,14ａ同士で連結して書き込みシート10を構成するのが、第１のシート部材12と第２のシート部材14間に挟む込んだ教材がずれにくくなる等の利点があるため、より一層好適である。
【００３４】
また、上記においては、本発明の書き込みシート10を教科書やテスト等の教材に使用する場合を例示して説明したが、勿論これに限定されるものではなく、直接の書き込みをしたくない書籍・契約書等、適宜な対象物に使用することができる。
【図面の簡単な説明】
【００３５】
【図１】本発明に係る書き込みシートを示す斜視図である。
【図２】本発明に係る書き込みシートの第１のシート部材を示す正面図である。
【図３】本発明に係る書き込みシートの第２のシート部材を示す正面図である。
【図４】本発明に係る書き込みシートの製造過程を示す説明図である。
【図５】本発明に係る書き込みシートの第１のシート部材及び第２のシート部材間に教科書を挟み込む状態を示す説明図である。
【図６】テスト用紙上に第１のシート部材を被せた状態を示す使用例説明図である。
【図７】テスト用紙上に第１のシート部材を被せた状態を示す使用例説明図である。
【図８】テスト用紙上に第１のシート部材を被せた状態を示す使用例説明図である。
【図９】漢字ドリルの漢字学習ページ上に第１のシート部材を被せた状態を示す使用例説明図である。
【図１０】漢字ドリルの漢字学習ページ上に第１のシート部材を被せた状態を示す使用例説明図である。
【図１１】漢字練習ノートの漢字練習ページ上に第２のシート部材を被せた状態を示す使用例説明図である。
【図１２】地図帳の地図ページ上に第２のシート部材を被せた状態を示す使用例説明図である。
【符号の説明】
【００３６】
10    書き込みシート
12    第１のシート部材
12ａ  第１のシート部材の一側縁
12ｂ  第１のシート部材の他側縁
12ｃ  第１のシート部材の上端縁
12ｄ  第１のシート部材の下端縁
14    第２のシート部材
14ａ  第２のシート部材の一側縁
14ｂ  第２のシート部材の他側縁
14ｃ  第２のシート部材の上端縁
14ｄ  第２のシート部材の下端縁
18    切欠
20    切欠
21    切欠
22    鉛筆筆記面
23    切欠
24    インクペン筆記面
26    教科書
28    テスト用紙
30Ｒ  赤鉛筆
30Ｂ  黒鉛筆
32    消しゴム
34    漢字学習ページ
36    漢字練習ページ
38    インクペン
40    地図ページ
42    ホワイトボードマーカー
【図１】
0006548331.tif 000002
【図２】
0006548331.tif 000003
【図３】
0006548331.tif 000004
【図４】
0006548331.tif 000005
【図５】
0006548331.tif 000006
【図６】
0006548331.tif 000007
【図７】
0006548331.tif 000008
【図８】
0006548331.tif 000009
【図９】
0006548331.tif 000010
【図１０】
0006548331.tif 000011
【図１１】
0006548331.tif 000012
【図１２】
0006548331.tif 000013